(57)【特許請求の範囲】
【請求項１】
１つ以上のクローズド加入者グループセルであるＣＳＧセルを含む通信システム（１００）に接続されるデバイス（１２０）によって前記通信システムにおいて実行される方法であって、
アクセス制御データベースが更新されていることを示す指示を受信するステップ（５６０）と、
前記指示に基づいて、前記通信システムへ再接続するためのパワーサイクルを実行するステップ（５６５）と、
前記デバイスに、該デバイスによるアクセスが許可されている前記１つ以上のＣＳＧセルを示すＣＳＧホワイトリストを更新するステップ（５７０）と
を有することを特徴とする方法。
【請求項２】
前記デバイス（１２０）が、別のデバイスから前記ＣＳＧホワイトリストの更新部分を受信するステップを更に有する
ことを特徴とする請求項１に記載の方法。
【請求項３】
前記別のデバイスは、移動性管理エンティティ（ＭＭＥ）、移動交換局（ＭＳＣ）、あるいはサービング汎用パケット無線サービス（ＧＰＲＳ）サポートノード（ＳＧＳＮ）の１つを含んでいる
ことを特徴とする請求項２に記載の方法。
【請求項４】
前記デバイス（１２０）は、ユーザ機器を含み、
前記１つ以上のＣＳＧセルは、１つ以上のフェムトセルを含んでいる
ことを特徴とする請求項１に記載の方法。
【請求項５】
１つ以上のクローズド加入者グループセルであるＣＳＧセルを含む通信システム（１００）において実行される方法であって、
１つ以上のユーザ機器の内のどのユーザ機器が前記１つ以上のＣＳＧセルへのアクセスが許可されているかを特定するアクセス制御データベースを更新するステップ（６０５）と、
前記アクセス制御データベースの更新に関与する前記１つ以上のユーザ機器の１つに接続されるデバイス（１２０）へ、前記アクセス制御データベースの更新を通知するステップであって、前記デバイス（１２０）が、前記更新の通知に基づいて、前記通信システムに再接続するためのパワーサイクルを実行する、ステップ（６１０）と、
ＣＳＧホワイトリストを前記１つ以上のユーザ機器の１つに提供して、前記１つ以上のユーザ機器の１つに、前記ＣＳＧホワイトリストで、該１つ以上のユーザ機器の１つのホワイトリストを更新させるステップ（６２５、６３０）とを有し、
前記ＣＳＧホワイトリストは、前記１つ以上のユーザ機器の１つによるアクセスが許可されている前記１つ以上のＣＳＧセルを、該１つ以上のユーザ機器の１つに示すものである
ことを特徴とする方法。
【請求項６】
前記提供するステップは、
前記１つ以上のユーザ機器の１つがアイドルモードであるかどうかを判定するステップと、
前記１つ以上のユーザ機器の１つが前記アイドルモードであると判定される場合、該１つ以上のユーザ機器の１つをページするステップと
を有することを特徴とする請求項５に記載の方法。
【請求項７】
前記提供するステップは、
前記ＣＳＧホワイトリストを非アクセス階層（ＮＡＳ）メッセージで提供することを含んでいる
ことを特徴とする請求項５に記載の方法。
【請求項８】
１つ以上のクローズド加入者グループ（ＣＳＧ）セルを有する通信システム（１００）において動作することができるデバイス（１２０）であって、
処理システム（２１５）として、
アクセス制御データベースが更新されていることを示す指示を受信し、
前記指示に基づいて、前記通信システムへ再接続するためのパワーサイクルを実行し、
ＣＳＧホワイトリストを更新する
ための処理システムを備え、
前記ＣＳＧホワイトリストは、前記デバイス（１２０）に、該デバイスによるアクセスが許可されている前記１つ以上のＣＳＧセルを示すものである
ことを特徴とするデバイス。
【請求項９】
前記デバイス（１２０）は、ユーザ機器を含み、
前記１つ以上のＣＳＧセルは、１つ以上のフェムトセルを含んでいる
ことを特徴とする請求項８に記載のデバイス。
【請求項１０】
前記ＣＳＧホワイトリストは、再接続中に前記通信システムから自動的に受信される
ことを特徴とする請求項８に記載のデバイス。
【請求項１１】
前記デバイス（１２０）は、ＣＳＧホワイトリストを含み、
受信される前記ＣＳＧホワイトリストは、前記デバイスの前記ＣＳＧホワイトリストを更新したものである
ことを特徴とする請求項８に記載のデバイス。
【請求項１２】
１つ以上のクローズド加入者グループ（ＣＳＧ）セルを有する通信システム（１００）において動作することができるデバイスであって、
処理システム（３１５）として、
１つ以上のユーザ機器の内のどのユーザ機器が前記１つ以上のＣＳＧセルへのアクセスを許可されているかを特定するアクセス制御データベースが更新されていることを示す指示を受信し、
前記１つ以上のユーザ機器の内のどのユーザ機器が前記アクセス制御データベースの更新に関与しているかを判定し、
前記アクセス制御データベースの更新に関与する前記１つ以上のユーザ機器の１つに接続されるデバイス（１２０）へ、前記アクセス制御データベースの更新を通知し、
更新されたＣＳＧホワイトリストを判定された１つ以上のユーザ機器へ配信して、前記１つ以上のユーザ機器に、前記ＣＳＧホワイトリストで、該１つ以上のユーザ機器のホワイトリストを更新させる
ための処理システムを備え、
前記更新されたＣＳＧホワイトリストは、前記１つ以上のＣＳＧセルの内のどのＣＳＧセルへのアクセスが前記判定された１つ以上のユーザ機器に許可されているかを前記判定された１つ以上のユーザ機器へ示すものであり、
前記デバイス（１２０）が、前記更新の通知に基づいて、前記通信システムに再接続するためのパワーサイクルを実行する、
ことを特徴とするデバイス。
【請求項１３】
前記デバイスは、移動性管理エンティティ（ＭＭＥ）を含んでいる
ことを特徴とする請求項１２に記載のデバイス。
【請求項１４】
前記処理システムは、更に、
前記判定された１つ以上のユーザ機器がアイドルモードであると判定される場合に、前記更新されたＣＳＧホワイトリストを配信する前に、前記判定された１つ以上のユーザ機器をページする
ように構成されている
ことを特徴とする請求項１２に記載のデバイス。
【請求項１５】
前記更新されたＣＳＧホワイトリストは、非アクセス階層（ＮＡＳ）メッセージで配信される
ことを特徴とする請求項１２に記載のデバイス。
【発明の詳細な説明】
【技術分野】
【０００１】
本明細書に開示される実装は、一般的には、通信システムに関するものである。より具体的には、本明細書で開示される実装は、通信システムにおけるアクセス制御情報を配信するためのスキーム群に関するものである。
【背景技術】
【０００２】
第３世代パートナーシッププロジェクト（３ＧＰＰ）で、広帯域符号分割多元アクセス／ユニバーサル移動体電気通信システム（ＵＭＴＳ）地上無線アクセスネットワーク（ＷＣＤＭＡ／ＵＴＲＡＮ）と、高度ユニバーサル地上無線アクセスネットワーク（ＥＵＴＲＡＮ）とにおけるホームノード群に対する仕様書が策定中である。ＥＵＴＲＡＮ環境において、ホームノードは、ホームＥ−ＵＴＲＡＮノードＢ（ＨｅＮＢ）と呼ばれる場合がある。ＵＴＲＡＮ環境において、ホームノードは、ホームノードＢ（ＨＮＢ）と呼ばれる場合がある。ホームノードは、ホーム基地局を含むことができ、これは、エンドユーザ群に対する通信範囲を提供し、かつ、いくつかの種類のインターネットプロトコル（ＩＰ）ベースの送信を使用してコアネットワークに接続することになる。提供される無線通信範囲は、フェムトセルと呼ばれる。この種のローカルアクセスに対する主要な動作群の１つは、ホームノードを介して他のノード群（例えば、ｅノードＢあるいはノードＢ）に接続する場合に、より安価な呼あるいはトランザクションレート／課金を提供することである。
【０００３】
ホームノードは、多くの場合、オペレータの移動コアネットワークへの接続性を達成し、可能であれば、他のノード群（例えば、ｅノードＢ、ノードＢ、ホームノード）への接続性を達成するために、エンドユーザの既に存在するブロードバンド接続（例えば、ケーブル、任意のＤＳＬベースの方法、これは、ｘデジタル加入者線（ｘＤＳＬ）ファミリーの技術群と呼ばれるものであり、ここでは、非対称デジタル加入者線（ＡＤＳＬ）が現在最も一般的なものの１つになっている）を利用することである。現在の３ＧＰＰにおける議論には、フェムトセル群を有するネットワークにおいてアクセス制御を実行することの可能性を含んでいる。例えば、この議論は、ユーザ機器（ＵＥ）でもなくコアネットワークでもないものが修正されることが許容される場合に向けられている（即ち、クローズド加入者グループ（ＣＳＧ）概念をサポートしない、従来のプレリリース８  ＵＥをどのようにサポートするかである）。システムアーキテクチャエボリューション／ロングタームエボリューションであるＳＡＥ／ＬＴＥ  ３ＧＰＰ  リリース８規格では、ＣＳＧとして知られる概念が導入されている。ＣＳＧを用いると、特定のＨｅＮＢ群は、一定のＵＥ群と関連付けることができ、これで、これらの関連付けられたＵＥ群だけが一定のＨｅＮＢ群とのアクセスが許容される。ＣＳＧが実際にはＵＥ群ではなく加入者のグループに関連付けられていることは明らかであるが、説明のために、用語ＵＥは、しばしば、ＣＳＧが形成されるエンティティとして使用される。許可済のＣＳＧアイデンティティ群（ＣＳＧ−ＩＤ群）はＵＥのＣＳＧホワイトリスト内で記憶される。各ＨｅＮＢは、システム情報内で、ＣＳＧインジケータと、それに割り当てられているＣＳＧ−ＩＤをブロードキャストする。このような方法で、ＵＥは、システム情報からＣＳＧ−ＩＤを読み取り、これをＣＳＧホワイトリストの内容と比較することによって、特定のＨｅＮＢへのアクセスが許容されるかどうかを判定することができる。ＵＥに対して許可済のＣＳＧもコアネットワーク内に記憶され、そうすることで、コアネットワークは、最高のアクセス制御（例えば、ＵＥが期限切れのＣＳＧホワイトリストを有している場合、あるいは不正を行っている場合（例えば、ハッキングされたＵＥ））を実行することができる。アクセス制御の変形には、コアネットワークベースのアクセス制御と呼ばれる。
【０００４】
現在の議論には、従来のＵＥ群（即ち、ＣＳＧサポートがないＵＥ群）をサポートするために、無線アクセスネットワーク（ＲＡＮ）ベースのアクセス制御（例えば、ＷＣＤＭＡ／ＵＴＲＡＮ）も含んでいる。一実装では、ＲＡＮは、アクセス制御データベース（ＡＣＤＢ）を含むことができる。ＡＣＤＢは、ＨＮＢ群に関する情報を記憶することができ、また、どのＵＥ群が各ＨＮＢによって提供されるフェムトセルあるいはＣＳＧセルへのアクセスを許容されているかに関する情報を記憶することができる。
【０００５】
ＣＳＧホワイトリストの利用が前途有望である一方、現在の議論では、ＣＳＧホワイトリストのＵＥ群への送信は依然としてオープンである。また、ＡＣＤＢを維持するためのソリューションは、依然としてまだ仕様を定めらているところであり、また、未解決の部分が残っている。
【発明の概要】
【発明が解決しようとする課題】
【０００６】
目的は、ＣＳＧホワイトリスト及びＡＣＤＢの、メインテナンス、更新及び送信の少なくとも１つに関するソリューションを提供することと、通信システム内のデバイス群の操作性を改善することの少なくとも一方である。
【課題を解決するための手段】
【０００７】
第１の態様に従えば、通信システムに接続されるデバイスによって前記通信システムにおける方法を実行することができる。この通信システムは、１つ以上のクローズド加入者グループセルであるＣＳＧセルを含むことができる。この方法は、前記１つ以上のＣＳＧセルをサーチすること、前記１つ以上のＣＳＧセルへのアクセスを試行すること、前記１つ以上のＣＳＧセルへのアクセスが許可されているかどうかを判定すること、アクセスが許可される前記１つ以上のＣＳＧセルに対応するＣＳＧホワイトリストを更新することを含むことができる。前記ＣＳＧホワイトリストは、前記デバイスに、１つ以上のＣＳＧセルの内のどのＣＳＧセルが、前記デバイスによるアクセスが許可されているかを前記デバイスを示すものである。
【０００８】
別の態様に従えば、通信システムに接続されるデバイスによって前記通信システムにおける方法を実行することができる。この通信システムは、１つ以上のクローズド加入者グループセルであるＣＳＧセルを含むことができる。この方法は、アクセス制御データベースが更新されていることを示す指示を受信すること、前記指示に基づいて、前記通信システムへ再接続するためのパワーサイクルを実行すること、ＣＳＧホワイトリストを更新することを含むことができる。前記ＣＳＧホワイトリストは、前記デバイスに、該デバイスによるアクセスが許可されている前記１つ以上のＣＳＧセルを示すものである。
【０００９】
更なる別の態様に従えば、１つ以上のクローズド加入者グループセルであるＣＳＧセルを含む通信システムにおける方法を実行することができる。この方法は、１つ以上のユーザ機器の内のどのユーザ機器が前記１つ以上のＣＳＧセルへのアクセスが許可されているかを特定するアクセス制御データベースを更新すること、前記アクセス制御データベースの更新に関与する前記１つ以上のユーザ機器の１つに接続されるデバイスへ、前記アクセス制御データベースの更新を通知すること、ＣＳＧホワイトリストを前記１つ以上のユーザ機器の１つに提供することを含むことができる。前記ＣＳＧホワイトリストは、前記１つ以上のユーザ機器の１つによるアクセスが許可されている前記１つ以上のＣＳＧセルを、該１つ以上のユーザ機器の１つに示すものである。
【００１０】
更なる別の態様に従えば、１つ以上のクローズド加入者グループセルであるＣＳＧセルを含む通信システムにおける方法を実行することができる。この方法は、１つ以上のユーザ機器の内のどのユーザ機器が前記１つ以上のＣＳＧセルへのアクセスを許可されているかを特定するアクセス制御データベースについての更新を受信することとして、前記更新は、前記１つ以上のユーザ機器によるアクセスが許可されている前記１つ以上のＣＳＧセルを示すＣＳＧホワイトリストの更新部分を含む呼制御シグナリングに基づいて受信されること、前記１つ以上のユーザ機器の内のどのユーザ機器が前記アクセス制御データベースの更新に関与しているかを判定すること、前記ＣＳＧホワイトリストの更新部分を含む前記呼制御シグナリングを判定された１つ以上のユーザ機器へ転送すること、あるいは前記ＣＳＧホワイトリストの更新部分を含む新規の呼を判定された１つ以上のユーザ機器に対してトリガーすること、前記ＣＳＧホワイトリストの更新部分が一旦受信されると、前記判定された１つ以上のユーザ機器から切断することを含むことができる。
【００１１】
別の態様に従えば、通信システムに接続されるデバイスによって前記通信システムにおける方法を実行することができる。この通信システムは、１つ以上のクローズド加入者グループセルであるＣＳＧセルを含むことができる。この方法は、アクセス制御データベースが更新されることによってトリガーされるＣＳＧホワイトリストを受信することであって、前記ＣＳＧホワイトリストが、前記デバイスによるアクセスが許可される前記１つ以上のＣＳＧセルを示している、受信すること、前記１つ以上のＣＳＧセルを検出するための測定を実行すること、前記測定の結果のレポートを出力すること、前記１つ以上のＣＳＧセルの内の１つが前記レポートに含まれていた場合、該１つ以上のＣＳＧセルの内の１つへのハンドオフを許可するハンドオーバメッセージを受信すること、前記ハンドオーバメッセージに従って、前記１つ以上のＣＳＧセルの内の１つにアクセスすることを含むことができる。
【００１２】
更に別の態様に従えば、通信システムに接続されるデバイスによって前記通信システムにおける方法を実行することができる。この通信システムは、１つ以上のクローズド加入者グループセルであるＣＳＧセルを含むことができる。この方法は、前記１つ以上のＣＳＧセルに関連付けられている１つ以上の基地局をサーチすること、前記１つ以上の基地局の１つへ、アクセス情報として、管理者レベルアクセス情報あるいは非管理者レベルアクセス情報を含むアクセス情報を送信すること、送信される前記アクセス情報に基づいて、前記１つ以上のＣＳＧセルの１つへのアクセスの許可、あるいは該１つ以上のＣＳＧセルの１つへのアクセスの拒否を受信すること、前記アクセスの許可が受信される場合にＣＳＧホワイトリストを更新することを含むことができる。前記ＣＳＧホワイトリストの更新には、前記デバイスが管理者レベルのデバイスに対応するかあるいは非管理者レベルのデバイスに対応するかを含み、前記ＣＳＧホワイトリストは、前記デバイスによるアクセスが許可される前記１つ以上のＣＳＧセルを示している。
【００１３】
更にまた別の態様に従えば、通信システムに接続されるデバイスによって前記通信システムにおける方法を実行することができる。この通信システムは、１つ以上のクローズド加入者グループセルであるＣＳＧセルを含むことができる。この方法は、非アクセス階層（ＮＡＳ）シグナリングを利用してアクセス制御データベースに接続することであって、前記アクセス制御データベースは、１つ以上のユーザ機器の内のどのユーザ機器が前記１つ以上のＣＳＧセルへのアクセスが許可されているかを特定する、接続すること、前記アクセス制御データベースに追加する、あるいは該アクセス制御データベースから削除する前記１つ以上のユーザ機器の内の１つを識別すること、追加する前記１つ以上のユーザ機器の内の１つに対応する、該１つ以上のユーザ機器の内の１つによるアクセスが許可される、前記１つ以上のＣＳＧセルの内の１つを識別すること、あるいは、削除する前記１つ以上のユーザ機器の内の１つに対応する、該１つ以上のユーザ機器の内の１つによるアクセスが拒否される、前記１つ以上のＣＳＧセルの内の１つを識別することを含むことができる。
【００１４】
更なる別の態様に従えば、１つ以上のクローズド加入者グループ（ＣＳＧ）セルを有する通信システムにおいて動作することができるデバイスであって、このデバイスは、処理システムとして、前記１つ以上のＣＳＧセルをサーチし、前記１つ以上のＣＳＧセルへのアクセスを試行し、前記１つ以上のＣＳＧセルへのアクセスが許可されているかどうかを判定し、アクセスが許可される前記１つ以上のＣＳＧセルに対応するＣＳＧホワイトリストを更新するための処理システムを含むことができる。前記ＣＳＧホワイトリストは、１つ以上のＣＳＧセルの内のどのＣＳＧセルが、前記デバイスによるアクセスが許可されているかを前記デバイスに示すものである。
【００１５】
別の態様に従えば、１つ以上のクローズド加入者グループ（ＣＳＧ）セルを有する通信システムにおいて動作することができるデバイスであって、このデバイスは、処理システムとして、アクセス制御データベースが更新されていることを示す指示を受信し、前記指示に基づいて、前記通信システムへ再接続するためのパワーサイクルを実行し、前記デバイスに、該デバイスによるアクセスが許可されている前記１つ以上のＣＳＧセルを示すＣＳＧホワイトリストを更新するための処理システムを含むことができる。
【００１６】
更に別の態様に従えば、１つ以上のクローズド加入者グループ（ＣＳＧ）セルを有する通信システムにおいて動作することができるデバイスであって、このデバイスは、処理システムとして、１つ以上のユーザ機器の内のどのユーザ機器が前記１つ以上のＣＳＧセルへのアクセスを許可されているかを特定するアクセス制御データベースが更新されていることを示す指示を受信し、前記１つ以上のユーザ機器の内のどのユーザ機器が前記アクセス制御データベースの更新に関与しているかを判定し、更新されたＣＳＧホワイトリストを判定された１つ以上のユーザ機器へ配信するための処理システムを含むことができる。前記更新されたＣＳＧホワイトリストは、前記１つ以上のＣＳＧセルの内のどのＣＳＧセルへのアクセスが前記判定された１つ以上のユーザ機器に許可されているかを前記判定された１つ以上のユーザ機器へ示すものである。
【００１７】
更にまた別の態様に従えば、１つ以上のクローズド加入者グループ（ＣＳＧ）セルを有する通信システムにおいて動作することができるデバイスであって、このデバイスは、処理システムとして、１つ以上のユーザ機器の内のどのユーザ機器が前記１つ以上のＣＳＧセルへのアクセスを許可されているかを特定するアクセス制御データベースについての更新を受信するものであって、前記更新を、前記１つ以上のユーザ機器によるアクセスが許可されている前記１つ以上のＣＳＧセルを示すＣＳＧホワイトリストの更新部分を含む呼制御シグナリングに基づいて受信し、前記１つ以上のユーザ機器の内のどのユーザ機器が前記アクセス制御データベースの更新に関与しているかを判定し、前記ＣＳＧホワイトリストの更新部分を含む前記呼制御シグナリングを判定された１つ以上のユーザ機器へ転送する、あるいは前記ＣＳＧホワイトリストの更新部分を含む新規の呼を判定された１つ以上のユーザ機器に対してトリガーし、前記ＣＳＧホワイトリストの更新部分が一旦転送されると、前記判定された１つ以上のユーザ機器から切断するための処理システムを含むことができる。
【００１８】
別の態様に従えば、１つ以上のクローズド加入者グループ（ＣＳＧ）セルを有する通信システムにおいて動作することができるデバイスであって、このデバイスは、処理システムとして、アクセス制御データベースが更新されることによってトリガーされるＣＳＧホワイトリストとして、前記デバイスによるアクセスが許可される前記１つ以上のＣＳＧセルを示す前記ＣＳＧホワイトリストを受信し、前記１つ以上のＣＳＧセルを検出するための測定を実行し、前記測定の結果のレポートを出力し、前記１つ以上のＣＳＧセルの内の１つが前記レポートに含まれていた場合、該１つ以上のＣＳＧセルの内の１つへハンドオーバメッセージを受信し、前記ハンドオーバメッセージに従って、前記１つ以上のＣＳＧセルの内の１つにアクセスするための処理システムを含むことができる。
【００１９】
更に別の態様に従えば、１つ以上のクローズド加入者グループ（ＣＳＧ）セルを有する通信システムにおいて動作することができるデバイスであって、このデバイスは、処理システムとして、前記１つ以上のＣＳＧセルに関連付けられている１つ以上の基地局をサーチし、前記１つ以上の基地局の１つへ、アクセス情報として、管理者レベルアクセス情報あるいは非管理者レベルアクセス情報を含むアクセス情報を送信し、送信される前記アクセス情報に基づいて、前記１つ以上のＣＳＧセルの１つへのアクセスの許可、あるいは該１つ以上のＣＳＧセルの１つへのアクセスの拒否を受信し、前記アクセスの許可が受信される場合に、前記デバイスによるアクセスが許可される前記１つ以上のＣＳＧセルを示すＣＳＧホワイトリストを更新することであって、前記デバイスが管理者レベルのデバイスに対応するかあるいは非管理者レベルのデバイスに対応するかを含む、前記ＣＳＧホワイトリストの更新を行うための処理システムを含むことができる。
【００２０】
更にまた別の態様に従えば、１つ以上のクローズド加入者グループ（ＣＳＧ）セルを有する通信システムにおいて動作することができるデバイスであって、このデバイスは、処理システムとして、非アクセス階層（ＮＡＳ）シグナリングを利用して、１つ以上のユーザ機器の内のどのユーザ機器が前記１つ以上のＣＳＧセルへのアクセスが許可されているかを特定するアクセス制御データベースに接続し、前記アクセス制御データベースに追加する、あるいは該アクセス制御データベースから削除する前記１つ以上のユーザ機器の内の１つを識別し、追加する前記１つ以上のユーザ機器の内の１つに対応する、該１つ以上のユーザ機器の内の１つによるアクセスが許可される、前記１つ以上のＣＳＧセルの内の１つを識別する、あるいは、削除する前記１つ以上のユーザ機器の内の１つに対応する、該１つ以上のユーザ機器の内の１つによるアクセスが拒否される、前記１つ以上のＣＳＧセルの内の１つを識別するための処理システムを含むことができる。
【図面の簡単な説明】
【００２１】
【図１Ａ】本明細書で記載される概念が実現される例示の通信システムを示す図である。
【図１Ｂ】システム及び方法が実現される図１Ａの通信システムにおけるＬＴＥネットワークの例示の実装を示す図である。
【図２Ａ】図１Ｂに示されるＵＥの例示のコンポーネント群を示す図である。
【図２Ｂ】例示のＣＳＧホワイトリストを示す図である。
【図３Ａ】図１Ｂに示されるホームＥ−ＵＴＲＡＮノードＢ（ＨｅＮＢ）の例示のコンポーネント群を示す図である。
【図３Ｂ】例示のアクセス制御データベース（ＡＣＤＢ）を示す図である。
【図４】ＡＣＤＢを更新するための例示のプロセスを示すフロー図である。
【図５Ａ】ＣＳＧホワイトリストを更新するための例示のプロセスを示すフロー図である。
【図５Ｂ】ＣＳＧホワイトリストを更新するための例示のプロセスを示すフロー図である。
【図６Ａ】ＣＳＧホワイトリストを更新するための例示のプロセスを示すフロー図である。
【図６Ｂ】ＣＳＧホワイトリストを更新するための例示のプロセスを示すフロー図である。
【図７】ＣＳＧホワイトリストを更新するための例示のプロセスを示すフロー図である。
【図８】ＣＳＧホワイトリストとＡＣＤＢを更新するための例示のプロセスを示すフロー図である。
【発明を実施するための形態】
【００２２】
以下の詳細説明は、添付図面を参照する。異なる図面内で同一の参照番号は、同一のあるいは同様の要素を特定する場合がある。また、以下の説明は、本発明を限定するものではない。
【００２３】
本明細書で使用される、用語「ＣＳＧセル」は、例えば、フェムトセル、ピコセル、マイクロセル、マクロセル、あるいはいくつかの他のタイプのＣＳＧ構成を含むように広く解釈されることを意図している。
【００２４】
本明細書で記載される概念は、通信システムに関するものである。この通信システムは、任意のタイプのワイヤレスネットワークを含むように広く解釈されることを意図している。これには、例えば、セルラーネットワーク及び移動ネットワークの少なくとも一方（例えば、移動通信（ＧＳＭ）用のグローバルシステム、ＬＴＥ、ＷＣＤＭＡ、ウルトラモバイルブロードバンド（ＵＭＢ）、ＵＭＴＳ、符号分割多元アクセス２０００（ＣＤＭＡ２０００）、アドホックネットワーク群、高速パケットアクセス（ＨＳＰＡ）等）、及び非セルラーネットワーク（例えば、ワイヤレスファイデリティ（Ｗｉ−Ｆｉ）、マイクロ波アクセス用ワールドワイドインターオペラビリティ（ＷｉＭａｘ）等）がある。これに関しては、本明細書で記載される概念は、プラットホームに依存するものではなく、また、広く様々な通信システム内で実現できることが明らかであろう。
【００２５】
本明細書で記載される実施形態は、通信システム内及びユーザ端末（例えば、ＵＥ）内の両方で、動的にアクセス制御情報を更新するための、エンドユーザ群に対するスキームを提供することができる。本明細書で記載される実施形態群は、アクセス制御情報を更新することが許容されるユーザ群を識別すること、アクセス制御が維持されるＣＳＧセル群を識別すること、ＣＳＧセルへアクセスすることが許容されるエンドユーザ群を識別すること、ネットワークベースのＡＣＤＢ内とＵＥベースのＣＳＧホワイトリスト内とで情報を維持することに関連する問題を解決することができ、それに加えて、必ずしもそれから得られない利点を提供することができる。例えば、ＵＥは、特定のＣＳＧセルへの不必要なアクセスの試行を実行することを回避することができる。
【００２６】
図１Ａは、例示の通信システム１００を示す図であり、これは、本明細書で記載される概念を実現することができる。図示されるように、通信システム１００は、インターネットプロトコル（ＩＰ）ネットワーク１０５、コアネットワーク１１０、及び様々な無線アクセスネットワーク（ＲＡＮ）を含んでいる。この無線アクセスネットワーク（ＲＡＮ）には、例えば、ＧＳＭ１１５−１、ＷＣＤＭＡ／ＨＳＰＡ１１５−２、ＣＤＭＡ１１５−３、ＬＴＥ１１５−４及び他のネットワーク１１５−Ｘ（例えば、時分割同期ＣＤＭＡ（ＴＤ−ＳＣＤＭＡ））がある。図示されていないが、通信システム１００は、他のタイプのネットワークを含むことができ、これには、例えば、回線交換ネットワークがある。ＲＡＮ１１５、コアネットワーク１１０及びＩＰネットワーク１０５との間の接続は例示である。
【００２７】
図１Ｂは、通信システム１００内のＬＴＥネットワーク１１５−４の例示の実装を示す図であり、この通信システム１００内で、本明細書で記載されるシステム及び方法を実現することができる。図１Ｂに示されるように、ＬＴＥ１１５−４は、ユーザ機器（ＵＥ）１２０−１から１２０−４（一般的には、ＵＥ１２０で示される）、Ｅ−ＵＴＲＡＮノードＢ（ｅノードＢ）１２５−１と１２５−２（一般的には、ｅノードＢ１２５で示される）、サービング（在圏）ゲートウェイ（Ｓ−ＧＷ）１３０−１から１３０−Ｘ（一般的には、Ｓ−ＧＷ１３０で示される）、移動性管理エンティティ（ＭＭＥ）１３５−１から１３５−Ｍ（一般的には、ＭＭＥ１３５で示される）、ホーム加入者サーバ（ＨＳＳ）１３９、ＨｅＮＢ  ＧＷ１４０、ＨｅＮＢ１４５−１から１４５−３（一般的には、ＨｅＮＢ１４５で示される）を含むことができる。マクロセル１５０とフェムトセル１５５−１と１５５−２（一般的には、フェムトセル１５５で示される）は、通信範囲のエリアに対応する。
【００２８】
いくつかのデバイス、デバイス間の接続、及びマクロセル及びフェムトセルの構成は例示であることが理解されるであろう。別の実装では、ＬＴＥ１１５−４は、更に追加のデバイス、より少ないデバイス、あるいは、図１Ｂで示されるものとは異なるデバイスを含むことができる。加えて、他の実装では、図１Ｂのデバイスの構成は、異なるものにすることができる。図１Ｂに示されるデバイス間の接続は、有線接続及び無線接続の少なくとも一方を含むことができる。
【００２９】
ＵＥ１２０は、通信能力を有するデバイスを含むことができる。例えば、ＵＥ１２０は、ワイヤレス電話、コンピュータ（例えば、ラップトップ、パームトップ等）、パーソナルデジタルアシスタント（ＰＤＡ）、ゲーム機、音楽再生デバイス、ビデオ再生デバイス、ウェブ閲覧デバイス、パーソナル通信システム（ＰＣＳ）端末、汎用コンピュータデバイス、及び様々なタイプのポータブル、移動、及び携帯ユーザデバイスを含むことができる。ＵＥ１２０は、図１Ｂに示される、１つ以上のデバイス、ネットワーク等と通信することができる。
【００３０】
ｅノードＢ１２０、Ｓ−ＧＷ１３０、ＭＭＥ１３５、及びＨＳＳ１３９は、１つ以上のバージョンのＬＴＥ通信規格に従って動作するネットワークデバイスあるいはエンティティを含むことができる。
【００３１】
ＨｅＮＢ  ＧＷ１４０は、コアネットワーク１１０へのアクセスを提供するネットワークデバイスを含むことができる。例えば、ＨｅＮＢ  ＧＷ１４０は、ＨｅＮＢ１４５とコアネットワーク１１０との間の中間ノードとして動作することができる。ＨｅＮＢ  ＧＷ１４０は、コアネットワーク１１０とＨｅＮＢ１４５との相互接続に関連する、様々な通信問題（例えば、シグナリング負荷、セキュリティ、スケーリング等）を取り扱うことができる。
【００３２】
ＨｅＮＢ１４５は、例えば、コアネットワーク１１０のような移動コアネットワークへのアクセスをエンドユーザに提供するネットワークデバイスに加えて、他のネットワークデバイス（例えば、ｅノードＢ１２５、ＨｅＮＢ  ＧＷ１４０等）を含むことができる。ＨｅＮＢ１４５は、家庭向けの設定及び仕事向けの設定にサービス通信範囲を拡張することができ、これらの設定では、アクセスを制限するあるいは利用不可にすることができる。例えば、ＨｅＮＢ１４５は、基地局を含むことができる。マクロセル１５０とフェムトセル１５５は、例示の通信範囲エリアに対応する。
【００３３】
図１Ｂは例示のＬＴＥ１１５−４を示しているが、ＨｅＮＢ１４５とＨｅＮＢ  ＧＷ１４０は、ＬＴＥ以外の様々なアーキテクチャを有する他のワイヤレスネットワーク（例えば、ＧＳＭ、ＷＣＤＭＡ、ＷｉＭａｘ等）に組み込むことができる。
【００３４】
図２Ａは、ＵＥ１２０の例示のコンポーネント群を示す図である。図示されるように、ＵＥ１２０は、トランシーバ２０５、アンテナ２１０、処理システム２１５、メモリ２２０、入力デバイス２２５、出力デバイス２３０及びバス２３５を含んでいる。
【００３５】
トランシーバ２０５は、アンテナ２１０から、ワイヤレス通信リンク（例えば、無線、マイクロ波等）を介して、情報を送信し、かつ情報を送信することができる。トランシーバ２０５は、様々な通信関連処理を実行することができる。これには、例えば、フィルタリング、符号化、復号化、変調、復調、信号測定、多重化、逆多重化、誤り検出、及び誤り訂正の少なくとも１つがある。
【００３６】
アンテナ２１０は、ワイヤレス通信リンク群を介して情報を受信し、かつ情報を送信することができる。アンテナ２１０は、シングルアンテナシステムあるいはマルチアンテナシステム（例えば、ＭＩＭＯアンテナシステム）を含むことができる。アンテナ２１０は、１つ以上のダイバーシティ（例えば、空間的、パターン、あるいは極性形成）の形式を提供することができる。
【００３７】
処理システム２１５は、命令群を解釈し、かつ実行することができる。例えば、処理システム２１５は、汎用プロセッサ、マイクロプロセッサ、データプロセッサ、コプロセッサ、ネットワークプロセッサ、特定用途集積回路（ＡＳＩＣ）、コントローラ、プログラマブルロジックデバイス、チップセット、及びフィールドプログラマブルゲートアレイ（ＦＰＧＡ）の少なくとも１つを含むことができる。処理システム２１５は、ＵＥ１２０の１つ以上の他のコンポーネントを制御することができる。処理システム２１５は、様々な通信関連処理を実行することができる。これには、例えば、信号処理、チャネル推定、電力制御、及びタイミング制御の少なくとも１つと、これに加えて、ＵＥ１２０の操作と使用に関係する他の処理群を実行することができる。
【００３８】
メモリ２２０は、情報（例えば、データ、命令、アプリケーション等）を記憶することができる。メモリ２２０は、揮発性メモリ及び非揮発性メモリの少なくとも一方を含むことができる。例えば、メモリ２２０は、ランダムアクセスメモリ（ＲＡＭ）、動的ランダムアクセスメモリ（ＤＲＡＭ）、静的ランダムアクセスメモリ（ＳＲＡＭ）、リードオンリメモリ（ＲＯＭ）、プログラマブルリードオンリメモリ（ＰＲＯＭ）、消去可能プログラマブルリードオンリメモリ（ＥＰＲＯＭ）、フラッシュメモリ、及びいくつかの他の形式の記憶ハードウェアの少なくとも１つを含んでいる。メモリ２２０は、また、記憶ハードウェアを含むことができる。これは、ＵＥ１２０の外部にあるもの、及びＵＥ１２０から着脱可能なものの少なくとも一方を含み、これには、例えば、ユニバーサルシリアルバス（ＵＳＢ）メモリ及び加入者アイデンティティモジュール（ＳＩＭ）カードの少なくとも一方を含んでいる。
【００３９】
入力デバイス２２５は、ユーザデバイス及び別のデバイスの少なくとも一方からの入力を受信することができる。例えば、入力デバイス２２５は、キーボード、キーパッド、タッチパッド、マウス、ボタン、スイッチ、マイク、ディスプレイ（例えば、タッチスクリーン）、ポート、及び音声認識ロジックの少なくとも１つを含むことができる。
【００４０】
出力デバイス２３０は、ユーザ及び別のデバイスの少なくとも一方へ情報を出力することができる。例えば、出力デバイス２３０は、ディスプレイ、スピーカ、１つ以上の発光ダイオード（ＬＥＤ）、バイブレータ、ポート、及び他のタイプの視覚的、聴覚的、及び触覚的のいずれか１つの出力デバイスの少なくとも１つを含むことができる。バス２３５は、ＵＥ１２０のコンポーネント間の通信経路を提供することができる。
【００４１】
図２ＡはＵＥ１２０の例示のコンポーネント群を示しているが、別の実装では、ＵＥ１２０は、より少ないデバイス、更に追加のデバイス、あるいは、図２Ａで示されるものとは異なるコンポーネントを含むことができる。例えば、ＵＥ１２０は、ハードディスク（例えば、磁気ディスク、光ディスク、光磁気ディスク）、あるいは対応するドライブに従う他のタイプのコンピュータ可読媒体を含むことができる。本明細書で使用される用語「コンピュータ可読媒体」は、例えば、記憶媒体（例えば、メモリ、ハードディスク、コンパクトディスク（ＣＤ）、デジタル多用途ディスク（ＤＶＤ）等）を含むように広く解釈されるべきことを意図している。ＵＥ１２０の１つ以上のコンポーネントが、ＵＥ１２０の１つ以上の他のコンポーネントに関連付けられている１つ以上の他のタスクを実行することができる場合があることが理解されるであろう。加えて、図２Ａで示されるコンポーネントの構成は、他の実装において異なるものにすることができることが理解されるであろう。
【００４２】
図２Ｂは例示のＣＳＧホワイトリスト２４０を示す図である。ＣＳＧホワイトリスト２４０は、任意のタイプのデータ構造（例えば、テーブル、リスト等）として、あるいはデータの配列として記憶することができる。ＵＥ１２０は、ＣＳＧホワイトリスト２４０を記憶媒体（例えば、メモリ２２０）に記憶することができる。図２Ｂに示されるように、ＣＳＧホワイトリストは、ＣＳＧ  ＩＤフィールド２４５と管理者（アドミン（Ａｄｍｉｎ））ＵＥインジケータ２５０を含んでいる。ＵＥ１２０は、どのＣＳＧ（群）にアクセスすることができるかを判定するために、ＣＳＧホワイトリスト２４０を参照することができる。
【００４３】
ＣＳＧ  ＩＤ２４５フィールドは、ＣＳＧに対応する識別子（例えば、文字列あるいは非構造化２７ビット識別子）を含むことができる。例えば、ＣＳＧ  ＩＤは、ＣＳＧセル（例えば、フェムトセル１５５）内のシステム情報の一部としてブロードキャストすることができる。
【００４４】
管理者ＵＥインジケータフィールド２５０は、管理者レベルのＵＥを識別するためのインジケータを含むことができる。このインジケータは、ＵＥにおいて異なるロジック（例えば、ＧＵＩ）を実現可能にするために使用することができ、また、ユーザが、ＵＥ１２０をＡＣＤＢへ追加するあるいはＡＣＤＢから削除することを可能にするために使用することができる。
【００４５】
図２Ｂは例示のＣＳＧホワイトリスト２４０を示しているが、他の実装では、ＣＳＧホワイトリスト２４０は、更に追加のフィールド、より少ないフィールド、及び様々な情報フィールドを含むことができる。
【００４６】
図３Ａは、ＨｅＮＢ１４５の例示のコンポーネント群を示す図である。図示されるように、ＨｅＮＢ１４５は、トランシーバ３０５、アンテナ３１０、処理システム３１５、メモリ３２０、インタフェース３２５、バス３３０を含んでいる。ＬＴＥ１１５−４における他のデバイス群（例えば、ｅノードＢ１２５、Ｓ−ＧＷ１３０、ＭＭＥ１３５、ＨｅＮＢ  ＧＷ１４０）が同一のあるいは同様のコンポーネント群を含むことができることが理解されるであろう。
【００４７】
トランシーバ３０５は、インタフェース３２５を介する有線接続（例えば、ケーブル、ｘＤＳＬ等）を介して、また、ワイヤレス通信リンク群（例えば、無線、マイクロ波等）を介して、情報を送信し、情報を受信することができる。トランシーバ３０５は、様々な通信関連処理を実行することができる。これには、例えば、フィルタリング、符号化、復号化、変調、復調、信号測定、多重化、逆多重化、誤り検出、及び誤り訂正の少なくとも１つがある。
【００４８】
アンテナ３１０は、ワイヤレス通信リンク群を介して情報を受信し、かつ情報を送信することができる。アンテナ３１０は、シングルアンテナシステムあるいはマルチアンテナシステム（例えば、ＭＩＭＯアンテナシステム）を含むことができる。アンテナ３１０は、１つ以上のダイバーシティ（例えば、空間的、パターン、あるいは極性形成）の形式を提供することができる。
【００４９】
処理システム３１５は、命令群を解釈し、かつ実行することができる。例えば、処理システム３１５は、汎用プロセッサ、マイクロプロセッサ、データプロセッサ、コプロセッサ、ネットワークプロセッサ、特定用途集積回路（ＡＳＩＣ）、コントローラ、プログラマブルロジックデバイス、チップセット、及びフィールドプログラマブルゲートアレイ（ＦＰＧＡ）の少なくとも１つを含むことができる。処理システム３１５は、ＨｅＮＢ１４５の１つ以上の他のコンポーネントを制御することができる。処理システム３１５は、様々な通信関連処理を実行することができる。これには、例えば、変調、復調、誤り検出、及び誤り訂正の少なくとも１つと、これに加えて、ＨｅＮＢ１４５の操作に関係する他の処理群を実行することができる。
【００５０】
メモリ３２０は、情報（例えば、データ、命令、アプリケーション等）を記憶することができる。メモリ３２０は、揮発性メモリ及び非揮発性メモリの少なくとも一方を含むことができる。例えば、メモリ３２０は、ランダムアクセスメモリ（ＲＡＭ）、動的ランダムアクセスメモリ（ＤＲＡＭ）、静的ランダムアクセスメモリ（ＳＲＡＭ）、リードオンリメモリ（ＲＯＭ）、プログラマブルリードオンリメモリ（ＰＲＯＭ）、消去可能プログラマブルリードオンリメモリ（ＥＰＲＯＭ）、フラッシュメモリ、及びいくつかの他の形式の記憶ハードウェアの少なくとも１つを含んでいる。
【００５１】
インタフェース３２５は、ＨｅＮＢ１４５に、他のデバイス群、ネットワーク群及びシステム群の少なくとも１つと通信することを許容することができる。例えば、インタフェース３２５は、イーサネット（登録商標）インタフェース、光インタフェース、同軸インタフェース、ＤＳＬインタフェースあるいはその類を含むことができる。
【００５２】
バス３３０は、ＨｅＮＢ１４５のコンポーネント群との間の通信を許容することができる。
【００５３】
図３ＡはＨｅＮＢ１４５の例示の実装を示しているが、他の実装では、ＨｅＮＢ１４５は、より少ないコンポーネント、更に追加のコンポーネント、あるいは、図３Ａで示されるものとは異なるコンポーネントを含むことができる。加えて、他の実装では、コンポーネントは、異ならせて配置することができる。
【００５４】
図３Ｂは、例示のＡＣＤＢ３３０を示す図である。ＡＣＤＢ３３０は、任意のタイプのデータ構造（例えば、テーブル、リスト等）あるいはデータ配列として記憶することができる。ＨｅＮＢ１４５は、記憶媒体（例えば、メモリ３２０）上にＡＣＤＢ３３０を記憶することができる。図示されるように、ＡＣＤＢ３３０は、ＣＳＧ  ＩＤフィールド３３５、管理者ＵＥフィールド３４０、及び各ＣＳＧに対する許可ユーザフィールド３４５を含んでいる。一実施形態では、ＡＣＤＢ３３０は、ＣＳＧホワイトリスト２４０と同様の情報（即ち、ＣＳＧ  ＩＤ、管理者ＵＥ情報）を記憶することができ、それに加えて、追加の情報（例えば、許可ユーザ）を記憶することができる。
【００５５】
ＣＳＧ  ＩＤフィールド３３５は、ＣＳＧに対応する識別子（例えば、文字列あるいは非構造化２７ビット識別子）を含むことができる。
【００５６】
管理者ＵＥフィールド３４０は、管理者レベルのＵＥを対応する識別子（例えば、文字列）を含むことができる。この識別子は、例えば、国際移動体加入者アイデンティティ（ＩＭＳＩ）、あるいはいくつかの他の固有の識別子（例えば、国際移動機器アイデンティティ（ＩＭＥＩ）、移動体加入者ＩＳＤＮ番号（ＭＳＩＳＤＮ）、それらの組み合わせ等）を含むことができる。管理者レベルを有すると識別されるＵＥは、許可ユーザフィールド３４５に対してＵＥを追加したり削除したりすることができる。このようにして、管理者権限を有するユーザは、ＣＳＧを調整することができる。しかしながら、ＣＳＧ毎に２つ以上の管理者ＵＥ１２０を存在させることもできることが理解されるであろう。また、同一の管理者ＵＥ１２０が複数のＣＳＧを調整することができる。
【００５７】
許可ユーザフィールド３４５は、１つ以上のユーザに対応する１つ以上の識別子（例えば、文字列）を含むことができる。例えば、識別子は、例えば、ＩＭＳＩあるいはいくつかの他の固有識別子（例えば、ＩＭＥＩ、ＭＳＩＳＤＮ、それらの組み合わせ等）を含むことができる。
【００５８】
図３Ｂは例示のＡＣＤＢ３３０を示しているが、他の実装では、ＡＣＤＢ３３０は、追加のフィールド、より少ないフィールド、異なる情報フィールドを含むことができる。また、ＡＣＤＢ３３０はＨｅＮＢ１４５に関して記載されているが、他の実装では、ＡＣＤＢ３３０はＬＴＥ１１５−４の様々なノード（例えば、ＨｅＮＢ  ＧＷ１４０、ＭＭＥ１３５、Ｓ−ＧＷ１３０）に、あるいは別のノード（例えば、図１Ｂでは不図示のホーム加入者サーバ（ＨＳＳ））に常駐して、ＡＣＤＢ３３０あるいはその一部を記憶することができる。これに加えて、あるいは選択的には、ＡＣＤＢ３３０、あるいはその一部は、ＬＴＥ１１５−４の複数のデバイスに記憶することができる。
【００５９】
例示のプロセスを、以下で、図４とともに説明する。ここでは、管理者ＵＥ１２０は、ＡＣＤＢ３３０を更新することができる。説明のため、例示のプロセスは、図１Ｂに示される通信システム１００に基づいて記載される。しかしながら、例示のプロセスは、図１Ａに示される通信システム１００で実行することができることが理解されるであろう。この場合、図１Ｂに示されるデバイスと異なるデバイスが存在する場合がある。例えば、異なるＲＡＮ（例えば、ＷＣＤＭＡ／ＵＴＲＡＮ）内のＭＭＥ１３５によって実行されるように記載される処理は、異なるデバイス、例えば、移動交換局（ＭＳＣ）、サービング（在圏）ＧＰＲＳサポートノード（ＳＧＳＮ）等によって実行することができる。
【００６０】
図４は、ＡＣＤＢ３３０を更新するための例示のプロセス４００を示すフロー図である。例示のプロセス４００は、管理者ＵＥ１２０として識別されるＵＥ１２０によって実行することができる。例えば、ＬＴＥ１１５−４は、初期接続確立中のユーザＩＤ（例えば、ＩＭＳＩ）及びパスワードの少なくとも一方に基づいて、ＵＥ１２０を管理者ＵＥ１２０として認証することができる。このようにして、ユーザは、ＡＣＤＢ３３０をアクセスすること及び管理することの少なくとも一方を行う場合に、管理者として自身を認証すること及び識別することの一方を実行する必要がない場合がある。
【００６１】
プロセス４００は、非アクセス階層（ＮＡＳ）シグナリングを介してＡＣＤＢ３３０に接続することを開始することができる（ブロック４０５）。説明のために、ＡＣＤＢ３３０は、ＨｅＮＢ１４５に常駐している。別の実装では、ＡＣＤＢ３３０は、ＬＴＥ１１５−４（例えば、ＨｅＮＢ  ＧＷ１４０）内の別のデバイスに、あるいは別のノード（図１Ｂでは不図示）に常駐して、ＡＣＤＢ３３０を記憶することができる。管理者ＵＥ１２０は、コアネットワーク１１０に接続して、特定のＮＡＳメッセージを利用してＡＣＤＢ３３０を更新することができる。例えば、管理者ＵＥ１２０は、グラフィカルユーザインタフェース（ＧＵＩ）を提供することができ、そして、この機能を有効にすることは、ＣＳＧホワイトリストの内容、例えば、ＵＥが、ＣＳＧホワイトリスト内の任意のＣＳＧに対する管理者ＵＥとして示されるに基づくことができる。ＧＵＩはユーザからの入力を受信することができ、そして、管理者ＵＥ１２０は、特定のＮＡＳシグナリングを生成して、その特定のＮＡＳシグナリングをＭＭＥ１３５に向けて送信することができる。ＭＭＥ１３５は、その特定のＮＡＳシグナリングをＨｅＮＢ１４５（ＡＣＤＢ３３０）にマップすることができる。例えば、ＭＭＥ１３５は、新規のＮＡＳコマンドをデータベースコマンド（例えば、構造クエリー言語（ＳＱＬ）コマンドとして）としてマップして、ＡＣＤＢ３３０を更新することができる。例によれば、新規のＮＡＳコマンドは、「ＡＤＤ  ＣＳＧ  ＵＳＥＲ（ＣＳＧユーザの追加）」に対応させることができる。別の実装では、ＭＭＥ１３５は、特定のＮＡＳシグナリングをＨｅＮＢ１４５（ＡＣＤＢ３３０）へ転送することができる。この例では、特定のＮＡＳシグナリングは、ＡＣＤＢ３３０を更新することができる新規のアプリケーションを搬送することができる。つまり、新規のアプリケーションは、ＡＣＤＢ３３０を更新するために、データベースコマンド（例えば、ＳＱＬコマンド）の実行について提供することができる。
【００６２】
追加すべきあるいは削除すべきＵＥを識別することができる（ブロック４１０）。管理者ＵＥ１２０は、ＡＣＤＢ３３０から許可ユーザフィールドに対してユーザを追加するあるいは削除することができる。一実施形態では、許可ユーザフィールド３４５へユーザを追加する場合、ユーザは、追加すべきユーザを識別するために、識別子（例えば、ＩＭＳＩ）あるいはいくつかの他のタイプの識別子（ＩＭＥＩ、ＭＳＩＳＤＮ、それらの組み合わせ等）を入力することができる。別の実施形態では、ユーザは、識別子以外の情報（例えば、個人情報）を入力することができ、この情報とは、その後、識別子（例えば、ＩＭＳＩ、ＩＭＥＩ等）へ変換することができるものである。
【００６３】
ＣＳＧセルを識別することができる（ブロック４１５）。管理者ＵＥ１２０は、追加するあるいは削除するユーザに関連するＣＳＧを識別することができる。例えば、ユーザは、ＣＳＧを識別するＣＳＧ  ＩＤを入力することができる。
【００６４】
図４は例示のプロセス４００を示しているが、他の実装では、より少ない操作、追加の操作、及び異なる操作を実行することができる。
【００６５】
以下に説明するプロセス群は、ＣＳＧホワイトリストの更新に関連する。この方法では、ユーザ（あるいはＵＥ１２０）は、ＣＳＧ（群）がアクセス可能であるという知識を有することができる。説明のために、例示のプロセスは、図１Ｂに示される通信システム１００に基づいて説明する。しかしながら、例示のプロセスは、図１Ｂで示されるものと異なるデバイスが存在する場合がある、図１Ａに示される通信システム１００で実行することもできることが理解されるであろう。例えば、ＭＭＥ１３５によって実行されるように説明される操作は、異なるタイプのＲＡＮにおいて、異なるデバイスによって実行することができる。この異なるデバイスには、例えば、移動交換局（ＭＳＣ）、サービング（在圏）ＧＰＲＳサポートノード（ＳＧＳＮ）等がある。同様に、ｅノードＢ１２５によって実行されるように説明される操作は、異なるタイプのＲＡＮにおいて、異なるデバイスで実行することができる。この異なるデバイスには、例えば、ノードＢ、無線ネットワークコントローラ（ＲＮＣ）、基地局コントローラ（ＢＳＣ）、ＨＮＢゲートウェイ（ＨＮＢ  ＧＷ）等がある。
【００６６】
図５Ａは、ＣＳＧホワイトリスト２４０を更新するための例示のプロセス５００を示すフロー図である。プロセス５００は、ＵＥ１２０あるいは管理者ＵＥ１２０によって実行することができる。プロセス５００において記載されるＣＳＧホワイトリスト２４０の更新は、ＵＥによって開始されるプロセスであっても良い。
【００６７】
すべての利用可能なＣＳＧセル（群）に対するサーチを実行することができる（ブロック５０５）。ユーザは、ＵＥ１２０において、すべての検出可能なＣＳＧセル（群）に対してサーチをトリガーすることができる。サーチの結果として検出されたＣＳＧセルは、ＣＳＧホワイトリスト２４０に含まれても含まれなくても良く、これは、ＵＥ１２０に常駐することは明らかであろう。
【００６８】
１つ以上の利用可能なＣＳＧセル（群）へのアクセスを試行することができる（ブロック５１０）。ＵＥ１２０は、サーチに基づいて利用可能なＣＳＧセル（群）を判定することができる。ＵＥ１２０は、検出されたＣＳＧセルへのアクセスを試行することができる。一実装では、アクセスの試行は、例えば、ＭＭＥ１３５に向けられる追跡エリア更新に対応する。アクセスの試行は、ＵＥ１２０の識別子を含むことができる。
【００６９】
アクセスが許可されるかどうかを判定することができる（ブロック５１５）。ＣＳＧセルは、ＵＥ１２０への応答を提供することができる。例えば、ＨｅＮＢ１４５は、ＵＥ１２０の識別子と、ＡＣＤＢ３３０の管理者ＵＥフィールド３４０と許可ユーザフィールド３４５の少なくとも一方との比較に基づいて、ＣＳＧセルへのアクセスを試行する場合、ＨｅＮＢ１４５はＵＥ１２０への応答を生成することができる。別の実装では、ＭＭＥ１３５は、ＵＥ１２０への応答を生成することができる。例えば、ＭＭＥ１３５は、ＡＣＤＢ３３０と、ＵＥ１２０の識別子との比較に基づいてアクセスが許可されるかどうかを判定することができる。応答がＣＳＧセルへのアクセスを許可しないと判定される場合（ブロック５１５−ＮＯ）、ＵＥ１２０はブロック５１０に戻り、別の利用可能なＣＳＧセルへのアクセスを試行することができる。ＣＳＧセルがＣＳＧホワイトリスト２４０内に含まれていた場合の状況では、ＵＥ１２０は、自身のＣＳＧホワイトリスト２４０も更新することができる（例えばＣＳＧセルへの試行されたアクセスに対応するＣＳＧ  ＩＤを削除する）。
【００７０】
一方で、応答がＣＳＧセルへのアクセスを許可すると判定される場合（ブロック５１５−ＹＥＳ）、ＵＥ１２０は、ＣＳＧホワイトリスト２４０を更新することができる（ブロック５２０）。例えば、ＵＥ１２０は、ＣＳＧセルへのアクセスを示す応答を受信することができる。結果的に、ＣＳＧホワイトリスト２４０がアクセス可能なＣＳＧセルを含まないと、ＵＥ１２０は、ＣＳＧホワイトリスト２４０を更新すること（例えば、ＣＳＧ  ＩＤを追加すること）ができる。ＵＥ１２０は、ＣＳＧホワイトリスト２４０内で更新された情報を記憶することができる。加えて、管理者ＵＥ１２０がＣＳＧホワイトリスト２４０を更新する場合、管理者ＵＥ１２０は、情報をＣＳＧホワイトリスト２４０の管理者ＵＥインジケータフィールド２５０に追加することができる。
【００７１】
図５Ａは例示のプロセス５００を示しているが、他の実装では、より少ない操作、追加の操作、及び異なる操作を実行することができる。例えば、ＣＳＧセルへのアクセスが拒否される場合、ＣＳＧブラックリストを生成して、ＵＥ１２０へ送信することができる。ＣＳＧブラックリストは、アクセスを許可されていないＵＥ１２０におけるＣＳＧ／ＣＳＧ  ＩＤを含んでいる。この方法では、ＵＥ１２０は、アクセスが許可されていないＣＳＧセルへのアクセスの不必要な試行を行わないことができる。
【００７２】
図５Ｂは、ＣＳＧホワイトリスト２４０を更新するための例示のプロセス５５０を示すフロー図である。プロセス５５０で示される更新は、ＡＣＤＢ３３０に対する更新によってトリガーすることができる。
【００７３】
ＡＣＤＢを更新することができる（ブロック５５０）。管理者ＵＥ１２０はＡＣＤＢ３３０を更新することができる。例えば、この更新は、ＣＳＧへ特定のＵＥを追加すること、ＣＳＧから特定のＵＥを削除することの少なくとも一方を含むことができる。一実装では、例示として、管理者ＵＥ１２０は、ＭＳＩＳＤＮ、いくつかの他の識別子、及びユーザの個人情報（例えば、ホーム加入者サーバ（ＨＳＳ）におけるＩＭＳＩへの変換を必要としても必要としなくても良い）の少なくとも１つに基づいて特定のＵＥ１２０を識別することができる。ＨＳＳは、特定のＵＥ１２０を固有に識別することができる。例示として、ＨＳＳは、データベースを含むことができる。データベースは、ＩＭＳＩと許可ＣＳＧセルとの間の関連付けを含むことができる。
【００７４】
ＡＣＤＢに対する更新をＵＥへ通知することを開始することができる（ブロック５６０）。例えば、ＭＭＥ１３５は、ＡＣＤＢ３３０に対する更新に基づく更新を特定のＵＥへ通知することを開始することができる。つまり、ＡＣＤＢ３３０に対する更新は、ＣＳＧホワイトリスト２４０を更新するためのイベントをトリガーすることを統括することができる。一実装では、更新されたＡＣＤＢ３３０が常駐するデバイス（例えば、ＨｅＮＢ１４５）に特定のＵＥが接続される場合、デバイス（例えば、ＨｅＮＢ１４５）は、その更新をコアネットワーク１１０（例えば、ＨＳＳ）へ通知することができる。例えば、ＵＥ１２０がＭＭＥ１３５に接続する場合、いくつかの加入情報がＨＳＳからＭＭＥ１３５へ送信することができ、これには、ＣＳＧホワイトリスト２４０（加入情報の一部として）を含むことができる。逆に、ＭＭＥ１３５は、この更新を特定のＵＥへ通知することを可能にすることができる。デバイス（例えば、ＨｅＮＢ１４５）にＵＥ１２０が既に接続されていて、かつＨＳＳ情報が更新される場合には、ＨＳＳは更新された情報を、特定のＵＥ１２０へサービスを提供することができるＭＭＥ１３５へプッシュすることができる。どちらにしても、ＭＭＥ１３５はＣＳＧホワイトリスト２４０の更新が存在することを特定のＵＥ１２０へ信号送信することができる。
【００７５】
ネットワークへの初期接続を開始することができる（ブロック５６５）。更新の知識を有するＵＥ１２０（即ち、特定のＵＥ）は、パワーサイクル（例えば、リブート、電源オフ及び電源オン）を実行することができる。例えば、ＵＥ１２０がアイドルモードである場合、パワーサイクルは自動にすることができる。別の例では、ＵＥ１２０がアイドルモードでない場合、ユーザへのメッセージあるいは警告を提供することができる。ユーザは、パワーサイクルが発生する時点を制御することができる（例えば、ユーザに通話等を完了することを許可する）。パワーサイクルが発生する場合、ＵＥ１２０はＬＴＥ１１５−４（例えば、ＵＥ１２０とＭＭＥ１３５との間）の初期接続を実行することができる。
【００７６】
ＣＤＧホワイトリストを受信することができる（ブロック５７０）。初期接続中に、ＭＭＥ１３５はＣＳＧホワイトリスト２４０の更新部分をＵＥ１２０へ送信することができる。例えば、ＭＭＥ１３５は、接続プロセスに関連するシグナリングの一部としてＣＳＧホワイトリスト２４０の更新部分を含むことができる。ＵＥ１２０は、更新されたＣＳＧホワイトリスト２４０を受信して記憶することができる。
【００７７】
図５Ｂは例示のプロセス５５０を示しているが、別の実装では、より少ない操作、追加の操作、及び異なる操作を実行することができる。
【００７８】
図６Ａは、ＣＳＧホワイトリスト２４０を更新するための例示のプロセス６００を示すフロー図である。プロセス６００に記載される更新は、ＡＣＤＢ３３０に対する更新によってトリガーすることができ、また、ＮＡＳシグナリングを利用することができる。
【００７９】
ＡＣＤＢを更新することができる（ブロック６０５）。管理者ＵＥ１２０はＡＣＤＢ３３０を更新することができる。例えば、この更新は、ＣＳＧへ特定のＵＥを追加すること、ＣＳＧから特定のＵＥを削除することの少なくとも一方を含むことができる。
【００８０】
ＡＣＤＢに対する更新をＵＥへ通知することを開始することができる（ブロック６１０）。例えば、ＭＭＥ１３５は、ＡＣＤＢ３３０に対する更新に基づく更新を特定のＵＥへ通知することを開始することができる。つまり、ＡＣＤＢ３３０に対する更新は、ＣＳＧホワイトリスト２４０を更新するためのイベントをトリガーすることを継続することができる。一実施形態では、更新されたＡＣＤＢ３３０が常駐するデバイス（例えば、ＨｅＮＢ１４５）に特定のＵＥが接続されていない場合、デバイス（例えば、ＨｅＮＢ１４５）は、その更新をコアネットワーク１１０（例えば、ＨＳＳ）へ通知することができる。例えば、ＵＥ１２０がＭＭＥ１３５に接続する場合、いくつかの加入情報がＨＳＳからＭＭＥ１３５へ送信することができ、これには、ＣＳＧホワイトリスト２４０（加入情報の一部として）を含むことができる。逆に、ＭＭＥ１３５は、この更新を特定のＵＥへ通知することを可能にすることができる。デバイス（例えば、ＨｅＮＢ１４５）にＵＥ１２０が既に接続されていて、かつＨＳＳ情報が更新される場合には、ＨＳＳは更新された情報を、特定のＵＥ１２０へサービスを提供することができるＭＭＥ１３５へプッシュすることができる。
【００８１】
ＵＥがアイドルモードであるかどうかを判定することができる（ブロック６１５）。例えば、ＭＭＥ１３５（あるいは、例えば、ＨｅＮＢ１４５）は、特定のＵＥが、ＵＥ１２０の接続状態に基づくアイドルモードであるかどうかを判定することができる。ＵＥがアイドルモードであると判定される場合（ブロック６１５−ＹＥＳ）、ＵＥをページすることができる（ブロック６２０）。例えば、ＭＭＥ１３５はＵＥ１２０を接続モードに通常に入るように、ｅノードＢ１２５を介して、例えば、ＵＥ１２０が現在追跡するエリアリストの一部である、任意の追跡エリアに属するセルにサービスを提供するすべてのｅノードＢを介してページすることができる。
【００８２】
更新されたＣＳＧホワイトリスト２４０は、ＮＡＳシグナリングを介してＵＥへ配信することができる（ブロック６２５）。ＭＭＥ１３５は、ＮＡＳシグナリングメッセージでＣＳＧホワイトリスト２４０の更新部分を送信することができる。
【００８３】
他の例では、ＵＥがアイドルモードでない場合（ブロック６１５−ＮＯ）、更新されたＣＳＧホワイトリスト２４０をＮＡＳシグナリングを介してＵＥ１２０へ配信することができる。つまり、ＵＥ１２０が既に接続モードである場合、ＭＭＥ１３５は、ＮＡＳシグナリングメッセージでＣＳＧホワイトリスト２４０の更新部分を送信することができる。
【００８４】
図６Ａは例示のプロセス６００を示しているが、別の実装では、より少ない操作、追加の操作、及び異なる操作を実行することができる。
【００８５】
図６Ｂは、ＣＳＧホワイトリスト２４０を更新するための例示のプロセス６５０を示すフロー図である。プロセス６５０に記載される更新は、ＡＣＤＢ３３０を更新するための管理者ＵＥ１２０から呼制御（ＣＣ）シグナリングによってトリガーすることができる。別の実装では、セッション開始プロトコル（ＳＩＰ）をＣＣシグナリングプロトコルとして利用することができる。ＣＣシグナリングは（図１Ｂに示されるような）ＬＴＥ通信システムで利用できない場合があることが理解されるであろう。しかしながら、ＣＣシグナリングがＷＣＤＭＡ  ＲＡＮ１１５−２（図１Ａに示されるような）で利用することができる。また、上述のように、通信システム１００は、回線交換ネットワークを含むことができる。このような環境では、ＣＣシグナリングは、ＭＳＣがＡＣＤＢ３３０の更新情報を転送することができるＡＣＤＢ３３０を更新するために、回線交換ネットワークを利用することができる。
【００８６】
ＡＣＤＢを更新することができる（ブロック６５５）。管理者ＵＥ１２０はＡＣＤＢ３３０を更新することができる。例えば、本明細書で記載される他のプロセスにおいて上述されるように、更新には、ＣＳＧへの特定のＵＥを追加することを含むことができる。一実施形態では、管理者ＵＥ１２０は、コアネットワーク１１０に向けての通常呼制御（ＣＣ）シグナリングを利用して、ＡＣＤＢ３３０を更新することができる。例えば、管理者ＵＥ１２０は、更新情報のすべてを定義するために、特定のプレフィックス及びＢ番号の少なくとも一方を利用することができる。例としては、管理者ＵＥ１２０のユーザは、プレフィックス機能、追加あるいは削除、及びＢ番号（例えば、６７８１ＭＳＩＳＤＮ−ｘｙｚ）を入力することができ、ここで「６７８」はプレフィックス機能に対応し、「１」が追加に対応し（あるいは「２」が削除に対応し）、及び「ＭＳＩＳＤＮ−ｘｙｚ」がＢ番号に対応する。文字列の順序及び数の少なくとも一方を異ならせることができることが理解されるであろう。更新情報は、ＣＳＧホワイトリスト２４０の更新部分を含むことができる（例えば、ＡＣＤＢ３３０の更新部分はＣＳＧホワイトリスト２４０に対応する）。一実装では、上述のように、ＣＳＧ  ＩＤ情報と管理者ＵＥ情報は、ＣＳＧホワイトリスト２４０とＡＣＤＢ３３０の両方に共通の情報である場合がある。ＣＳＧホワイトリスト２４０の更新部分は、ＣＣシグナリング内のオプションの情報要素（ＩＥ）に含めることができる。コアネットワーク１１０（例えば、ＭＳＣ）は、更新情報をＡＣＤＢ３３０へ転送することができる。
【００８７】
ＡＣＤＢの更新に関与する特定のＵＥを判定することができる（ブロック６６０）。例えば、ＭＳＣは、ＡＣＤＢ３３０の更新がＣＣシグナリング内の更新情報（例えば、許可ユーザフィールド３４５）に基づいて関与する特定のＵＥ１２０を判定することができる。
【００８８】
呼制御シグナリングは、判定されたＵＥへ転送することができる（ブロック６６５）。ＭＳＣは、ＣＣシグナリングを特定のＵＥ１２０へ転送することができる。ＣＳＧホワイトリスト２４０の更新部分は、ＣＣシグナリング内のオプションのＩＥで転送することができる。別の実装では、ＭＳＣは、特定のＵＥ１２０への新規の呼をトリガーすることができる。
【００８９】
呼制御シグナリングを切断することができる（ブロック６７０）。ＣＣシグナリングを切断することができ、ＵＥ１２０は、ＣＳＧホワイトリスト２４０の更新部分を受信することを判定することができる。
【００９０】
図６Ｂは例示のプロセス６５０を示しているが、別の実装では、より少ない操作、追加の操作、及び異なる操作を実行することができる。例えば、ＵＥ１２０は、ＣＣシグナリングの切断後に、確認応答をコアネットワーク１１０（例えば、ＭＳＣ）へ送信することができる。
【００９１】
図７はハンドオーバ手順を伴ってＣＳＧホワイトリスト２４０を更新するための例示のプロセス７００を示すフロー図である。
【００９２】
ＡＣＤＢを更新することができる（ブロック７０５）。管理者ＵＥ１２０は、ＡＣＤＢ３３０を更新することができる。例えば、この更新は、ＣＳＧへ特定のＵＥを追加すること、ＣＳＧから特定のＵＥを削除することの少なくとも一方を含むことができる。
【００９３】
ＡＣＤＢへの更新をＵＥへ通知することを開始することができる（ブロック７１０）。例えば、ＭＭＥ１３５は、ＡＣＤＢ３３０への更新に基づく更新を特定のＵＥへ通知することを開始することができる。つまり、ＡＣＤＢへの更新は、ＣＳＧホワイトリスト２４０を更新するためのイベントをトリガーすることを継続することができる。一実装では、更新されたＡＣＤＢ３３０が常駐するデバイス（例えば、ＨｅＮＢ１４５）に特定のＵＥが接続されていない場合、デバイス（例えば、ＨｅＮＢ１４５）は、その更新をコアネットワーク１１０（例えば、ＨＳＳ）へ通知することができる。例えば、ＵＥ１２０がＭＭＥ１３５に接続する場合、いくつかの加入情報がＨＳＳからＭＭＥ１３５へ送信することができ、これには、ＣＳＧホワイトリスト２４０（加入情報の一部として）を含むことができる。逆に、ＭＭＥ１３５は、この更新を特定のＵＥへ通知することを可能にすることができる。デバイス（例えば、ＨｅＮＢ１４５）にＵＥ１２０が既に接続されていて、かつＨＳＳ情報が更新される場合には、ＨＳＳは更新された情報を、特定のＵＥ１２０へサービスを提供することができるＭＭＥ１３５へプッシュすることができる。
【００９４】
ＵＥがアイドルモードであるかどうかを判定することができる（ブロック７１５）。例えば、ＭＭＥ１３５（あるいは、例えば、ＨｅＮＢ１４５）は、特定のＵＥが、ＵＥ１２０の接続状態に基いてアイドルモードであるかどうかを判定することができる。ＵＥがアイドルモードであると判定される場合（ブロック７１５−ＹＥＳ）、ＵＥをページすることができる（ブロック７２０）。例えば、ＭＭＥ１３５はＵＥ１２０を接続モードに通常に入るように、ｅノードＢ１２５を介してページすることができる。
【００９５】
ＵＥは更新されたＣＳＧホワイトリストを受信することができる（ブロック７２５）。例えば、ＭＭＥ１３５はＣＳＧホワイトリスト２４０の更新部分をＵＥ１２０へ送信することができる。ＵＥ１２０はＣＳＧホワイトリスト２４０の更新部分を受信して記憶することができる。ｅノードＢ１２５はＵＥ１２０がアクセスすることができる新規のＣＳＧセルについて通知される。
【００９６】
ＵＥは測定を実行することができる（ブロック７３０）。ＵＥ１２０はチャネル推定操作、セルサーチ操作等を実行することができる。一実装では、ＵＥ１２０は、ＣＳＧホワイトリスト２４０の更新部分の受信に応じてこれらの操作の１つ以上を実行することができる。他の実装では、ＵＥ１２０は、通常の操作に従って、これらの操作の１つ以上を実行することができる。
【００９７】
ＵＥは測定結果をレポートすることができる（ブロック７３５）。ＵＥ１２０は測定結果をｅノードＢ１２５へレポートすることができる。
【００９８】
新規のＣＳＧセルが測定結果のレポート内にあるかどうかを判定することができる（ブロック７４０）。ｅノードＢ１２５は新規のＣＳＧセルについて通知されているので、ｅノードＢ１２５は新規のＣＳＧセルが受信したレポートに含まれているかどうかを判定することができる。新規のＣＳＧセルが測定結果のレポートにあると判定される場合（ブロック７４０−ＹＥＳ）、新規のＣＳＧセルへのハンドオーバをトリガーすることができる（ブロック７４５）。ｅノードＢ１２５は、ＵＥ１２０を新規のＣＳＧセル（例えば、ＨｅＮＢ１４５）へハンドオーバするためのハンドオーバ手順を開始することができる。ＵＥは、次に、新規のＣＳＧセル（ブロック７５０）をアクセスすることができる。ハンドオーバが一旦完了すると、ＵＥ１２０は新規のＣＳＧセルをアクセスすることができる。
【００９９】
ブロック７１５に戻り、ＵＥがアイドルモードでないと判定される場合（ブロック７１５−ＮＯ）、ＵＥはＣＳＧホワイトリストを受信することができる（ブロック７５５）。例えば、ＵＥ１２０が既に接続モードである場合、ＭＭＥ１３５は、ＣＳＧホワイトリスト２４０の更新部分をＵＥ１２０へ送信することができる。ＵＥ１２０は、ＣＳＧホワイトリスト２４０の更新部分を受信して記憶することができる。
【０１００】
ブロック７６０及び７６５は、上述のブロック７３０及び７３５に対応する。
【０１０１】
ブロック７４０に戻り、新規のＣＳＧセルが測定結果のレポートにないと判定される場合（ブロック７４０−ＮＯ）、新規のＣＳＧセルへのハンドオーバはトリガーされない（ブロック７７０）。つまり、ｅノードＢ１２５は、ＵＥ１２０を新規のＣＳＧセル（例えば、ＨｅＮＢ１４５）へハンドオーバするためのハンドオーバ手順を開始しなくても良い。
【０１０２】
図７は例示のプロセス７００を示しているが、別の実装では、より少ない操作、追加の操作、及び異なる操作を実行することができる。
【０１０３】
図８はＡＣＤＢ３３０とＣＳＧホワイトリスト２４０を更新するための例示のプロセス８００を示すフロー図である。プロセス８００に記載されるように、ＡＣＤＢ３３０は追加の情報フィールド（例えば、パスワードフィールド、図３Ｂでは不図示）を含めることができる。パスワードフィールドは、認証目的のために使用することができる、シークレットパスワード及びユニークパスワード（あるいは、いくつかの他のタイプの識別子）の少なくとも一方を記憶することができる。一実装では、パスワードあるいは識別子は、少なくとも一部分を、ＨｅＮＢ１４５アイデンティティ（例えば、ＨｅＮＢ１４５帰路インタフェース群の１つの媒体アクセス制御（ＭＡＣ）アドレス）に基づいて生成することができる。加えて、あるいは選択的には、様々なタイプのパスワードが存在しても良い。例えば、管理者のパスワードと、ゲストあるいはユーザのパスワードが存在しても良く、これらはそれぞれ管理者ＵＥ１２０あるいはＵＥ１２０に対応する。プロセス８００は、ＵＥ１２０あるいは管理者ＵＥ１２０によって実行することができる。
【０１０４】
利用可能なＣＳＧセル（群）についてのサーチを実行することができる（ブロック８０５）。ユーザは、ＵＥ１２０において、すべての検出可能なＣＳＧセル（群）に対してサーチをトリガーすることができる。サーチの結果として検出されたＣＳＧセルは、ＣＳＧホワイトリスト２４０に含まれても含まれなくても良く、これは、ＵＥ１２０に常駐することは明らかであろう。
【０１０５】
利用可能なＣＳＧセルへのアクセスの試行を実行することができる（ブロック８１０）。ＵＥ１２０は、サーチに基づいて利用可能なＣＳＧセル（群）を判定することができる。ＵＥ１２０は、検出されたＣＳＧセルへのアクセスを試行することができる。
【０１０６】
パスワードは、利用可能なＣＳＧセルへアクセスするためにＨｅＮＢへ送信することができる（ブロック８１５）。例えば、ＵＥ１２０は、ＨｅＮＢ１４５に向けての無線リソース制御（ＲＲＣ）シグナリングでパスワード（あるいは幾つかの他のタイプの識別子）を送信することができる。パスワードは、例えば、管理者レベルパスワード、ユーザレベルパスワード、あるいはゲストレベルパスワードとすることができる。
【０１０７】
送信されたパスワードが別のパスワードと一致するかどうかを判定することができる（ブロック８２０）。ＨｅＮＢ１４５は、送信されたパスワードが、ＡＣＤＢ３３０に記憶される別のパスワードと一致するか判定することができる。例えば、コアネットワーク（ＣＮ）ベースのアクセス制御状況（例えば、ＡＣＤＢ３３０がコアネットワーク１１０、例えば、ＭＭＥ１３５に常駐している状況）では、ＭＭＥ１３５は、接続されるＵＥ１２０のＩＭＳＩの知識を有することができる。ＨｅＮＢ１４５は、受信したパスワードとＣＳＧ  ＩＤとをＭＭＥ１３５へ送信することができる。ＭＭＥ１３５は、アクセスが許可されるべきかどうかを判定することができる。
【０１０８】
別の状況では、例えば、ＲＡＮベースのアクセス制御状況（例えば、ＡＣＤＢ３３０がＲＡＮに常駐している状況）では、ＨｅＮＢ１４５は、接続されているＵＥ１２０のＩＭＳＩを有しない。ＨｅＮＢ１４５は、ＮＡＳシグナリング（例えば、アイデンティティリクエスト）を使用して、ＵＥ１２０のＩＭＳＩを取得することができる。ＩＭＳＩが一旦取得されると、ＨｅＮＢ１４５は、アクセスが許可されるべきかどうかを判定することができる。
【０１０９】
パスワードが一致すると判定される場合（ブロック８２０−ＹＥＳ）、アクセスを許可することができる（ブロック８２５）。ＵＥ１２０は、利用可能なＣＳＧセルへのアクセスを許可することができる。つまり、ＵＥ１２０の識別子に一致し、かつ対応するパスワードに基づいて、ＵＥ１２０は、適切なＣＳＧへのアクセスを許可することができる。アクセスの許可は、ＵＥ１２０が管理者レベルのデバイス（即ち、管理者ＵＥ１２０）あるいは非管理者レベルのデバイス（例えば、ユーザ、ゲスト等によって使用することができるＵＥ１２０）に対応するかどうかを示すことができる。
【０１１０】
ＣＳＧホワイトリストを更新することができ（ブロック８３０）、また、ＡＣＤＢを更新することができる（ブロック８３５）。ＵＥ１２０あるいは管理者ＵＥ１２０が一旦アクセスを許可されると、ＣＳＧホワイトリスト２４０とＡＣＤＢ３３０を更新することができる。例えば、ＵＥ１２０が管理者ＵＥ１２０に対応する場合、フィールド２４５と２５０をＣＳＧホワイトリスト２４０において適切に更新することができる。更には、フィールド３３５、３４０及び３４５はＡＣＤＢ３３０において適切に更新することができる。一方、ＵＥ１２０が管理者ＵＥでない場合、フィールド３３５と３４５を更新することができ、更には、フィールド２４５も更新することができる。
【０１１１】
一方、パスワードが一致しないと判定される場合（ブロック８２０−ＮＯ）、アクセスは拒否される（ブロック８４５）。この場合、ＵＥ１２０はブロック８０５あるいはブロック８１０に戻る。ＵＥ１２０は、拒否、例えば、ＣＳＧホワイトリスト２４０が拒否されたＣＳＧを含んでいたということに基づいて、ＣＳＧホワイトリスト２４０（例えば、ＣＳＩＤ）を更新することができる。
【０１１２】
選択的には、ＵＥ１２０はプロセス８００を終了することができる。図８は例示のプロセス８００を示しているが、別の実装では、より少ない操作、追加の操作、及び異なる操作を実行することができる。
【０１１３】
上述のいくつかの実装の記載は例示を提供するものであるが、包括的なものであると意図されるものではない、あるいは開示される厳格な形態に実装を制限することが意図されるものではない。上述の教示を踏まえて修正及び変形が可能であり、あるいは教示されるものを実施することによって得られる修正及び変形を行うことができる。例えば、上述のように、ＬＴＥ通信システムに関してのプロセス群及び操作群の少なくとも一方の記載は、他の通信プラットホームに適合させることができる。つまり、本明細書で記載される実施形態及び実装の記載の範囲内の特定のデバイス（例えば、ＭＭＥ等）の言及は、その特定のデバイスに制限されるべきでない。むしろ、本明細書で記載される任意の操作及びプロセスの少なくとも一方は、記載されるデバイスに加えて、あるいはそれに代わる、別のデバイスによって実行されても良い。つまり、例えば、ＬＴＥとは異なる通信プラットホームのデバイス、つまり、その異なる通信プラットホーム内で同様の機能を提供するデバイスが、本明細書で記載されるプロセス群及び操作群の少なくとも一方を実行するように適合させることができる。
【０１１４】
加えて、一連のブロック群は、図５Ａ、５Ｂ、６Ａ、６Ｂ、７及び８に示されるプロセス群に関して記載されている一方で、これらのブロック群の順序は他の実装においては変更することができる。また、非依存ブロック群は平行して実行することができる。また、１つ以上のブロック群が省略されても良い。本明細書で記載されるプロセス群及び操作群の少なくとも一方の１つ以上がコンピュータプログラムとして実現されても良いことは明らかであろう。コンピュータプログラムは、コンピュータ可読媒体（例えば、メモリ、ハードディスク、ＣＤ、ＤＶＤ等）に記憶することができるあるいはいくつかの他のタイプの媒体（例えば、送信媒体）で再現することができる。
【０１１５】
本明細書で記載される態様は、図で示される実装群における、ソフトウェア、ファームウェア及びハードウェアの様々な形式で実現できることは明らかであろう。これらの態様を実現するために使用される実際のソフトウェアコードあるいは専用の制御ハードウェアは本発明を限定するものではない。つまり、これらの態様の操作及び動作は専用のソフトウェアコードを参照することなく記載されているものであり、ソフトウェア及び制御ハードウェアは、本明細書の記載に基づく態様を実現するために設計できることが理解されるべきである。
【０１１６】
様々な特徴の特定の組み合わせは、請求項において引用される、及び／または明細書において開示されるが、これらの組み合わせは本発明の開示を制限することを意図するものではない。事実、多くのこれらの特徴群は、請求項で特に引用されることなく、及び／または明細書で開示されることなく組み合わせることができる。
【０１１７】
明細書で使用される場合の用語「備える」あるいは「備えている」は、記載される特徴群、整数群、ステップ群あるいはコンポーネント群を特定するために用いられているが、他の特徴群、整数群、ステップ群あるいはコンポーネント群、それらのグループ群の１つ以上の存在あるいは追加を除外するものではないことが強調されるべきである。
【０１１８】
本願で使用されている要素、動作あるいは命令は、特に明示しない限り、本明細書で記載される実装に対して重要あるいは本質的なものとして解釈されるべきでない。
【０１１９】
用語「しても良い（ｍａｙ）」は本願全体を通して使用されており、これは、強制的な意味（例えば、「しなければならない（ｍｕｓｔ）」のような）ではなく、例えば、「潜在的に有している（ｈａｖｉｎｇ  ｔｈｅ  ｐｏｔｅｎｔｉａｌ  ｔｏ）」、「構成されている（ｃｏｎｆｉｇｕｒｅｄ  ｔｏ）」あるいは「できる（ｃａｐａｂｌｅ  ｏｆ）」というように解釈されることを意図している。用語「ａ」と「ａｎ」は、例えば、１つ以上の項目を含むように解釈されることを意図している。たった１つの項目を意図する場合、用語「１つの（ｏｎｅ）」あるいは同様の言語が使用される。また、表現「基づいて（ｂａｓｅｄ  ｏｎ）」は、特に明示しない限り、例えば、「少なくともその一部に基づいて（ｂａｓｅｄ，ａｔ  ｌｅａｓｔ  ｉｎ  ｐａｒｔ，ｏｎ）」を意味するように解釈されることを意図している。用語「および／または（ａｎｄ／ｏｒ）」は、関連するリストの項目群の１つ以上の任意のものとあらゆる組み合わせを含むように意図されている。
【図１Ａ】
0005314163.tif 000002
【図１Ｂ】
0005314163.tif 000003
【図２Ａ】
0005314163.tif 000004
【図２Ｂ】
0005314163.tif 000005
【図３Ａ】
0005314163.tif 000006
【図３Ｂ】
0005314163.tif 000007
【図４】
0005314163.tif 000008
【図５Ａ】
0005314163.tif 000009
【図５Ｂ】
0005314163.tif 000010
【図６Ａ】
0005314163.tif 000011
【図６Ｂ】
0005314163.tif 000012
【図７】
0005314163.tif 000013
【図８】
0005314163.tif 000014